(57)【要約】【課題】正常に沸き上げ湯量が変更された場合には、使用者の誤解をなくすとともに、効率良くかつ経済的な沸き上げ運転を行うことができる貯湯式給湯機を提供すること。【解決手段】本発明の貯湯式給湯機は、湯水を貯える貯湯タンク２と、貯湯タンク２内の湯水を沸き上げる加熱手段３と、操作部３１および表示部３０を有したリモコン装置１９とを備え、一日の使用量に応じて加熱手段で沸き上げる設定湯量を自動的に変更し、深夜時間帯に設定湯量まで加熱手段で沸き上げ運転を行う貯湯式給湯機であって、加熱手段３で沸き上げる湯量に変更があった場合には、表示部３０に沸き上げ湯量を変更したことを表示することを特徴とする。【選択図】図２
2010216717.tif 000002
【特許請求の範囲】
【請求項１】
湯水を貯える貯湯タンクと、前記貯湯タンク内の湯水を沸き上げる加熱手段と、操作部および表示部を有したリモコン装置とを備え、一日の使用量に応じて前記加熱手段で沸き上げる設定湯量を自動的に変更し、深夜時間帯に前記設定湯量まで前記加熱手段で沸き上げ運転を行う貯湯式給湯機であって、前記加熱手段で沸き上げる湯量に変更があった場合には、前記表示部に沸き上げ湯量を変更したことを表示することを特徴とする貯湯式給湯機。
【請求項２】
前記表示部に沸き上げ湯量を変更したことを表示する期間は、深夜時間帯の沸き上げ運転が終了した時点もしくは深夜時間帯が終了した時点から、前記操作部の操作が行われるまでとしたことを特徴とする請求項１に記載の貯湯式給湯機。
【請求項３】
前記表示部には前記貯湯タンク内に貯えられている湯量を表示する表示内容が設けられるとともに、前記表示部に沸き上げ湯量を変更したことを表示する期間は、深夜時間帯の沸き上げ運転が終了した時点もしくは深夜時間帯が終了した時点から、前記貯湯タンク内に貯えられている湯量を表示する表示内容に変更があるときまでとしたことを特徴とする請求項１に記載の貯湯式給湯機。
【請求項４】
深夜時間帯の沸き上げ運転が終了した時点以降もしくは深夜時間帯が終了した時点以降に、前記貯湯タンクからの出湯が確認され、前記貯湯タンクからの出湯が停止してから所定時間の間に前記表示部に沸き上げ湯量を変更したことを表示することを特徴とする請求項１に記載の貯湯式給湯機。
【請求項５】
前記表示部に沸き上げ湯量を変更したことを表示した後に、前記表示部に沸き上げ湯量を再設定する操作方法を表示したことを特徴とする請求項１から４のいずれか１項に記載の貯湯式給湯機。
【発明の詳細な説明】
【技術分野】
【０００１】
本発明は、貯湯タンクを有する貯湯式給湯機に関するものであり、特に、加熱手段で沸き上げる湯量表示に関するものである。
【背景技術】
【０００２】
従来、この種の貯湯式給湯機は、一日を通して貯湯タンクに高温湯を貯えることができるが、主として電気料金が最も安い深夜時間帯（２３時〜翌７時）に湯水を沸き上げて貯湯タンクに設定量だけ貯えるものであり、貯湯タンクに貯湯した湯水を、カランやシャワー等の給湯や、浴槽への湯張りに使用するものであり、その一例として加熱手段に電気ヒータを使用した電気給湯機や、加熱手段にヒートポンプを使用したヒートポンプ式給湯機が知られている。
【０００３】
このような貯湯式給湯機において、貯湯タンク内の高温湯の使用方法は様々であるが、カランやシャワー等の給湯、浴槽への湯張り、浴槽水の追い焚き運転、浴室内へのミスト運転などが上げられるが、１日の使用量が多くなってしまい貯湯タンク内の高温湯に湯切れが生じてしまった場合は、電気料金が割高である昼間時間帯に貯湯タンク内の湯水を追加で沸き上げる必要がある。
【０００４】
そのため、従来の貯湯式給湯機においては、効率的かつ経済的な沸き上げ運転を行うために、１日に使用する給湯量や風呂の追い焚き熱量を学習し、それに見合い賄いうる湯量を設定量として設定し、設定量だけ深夜時間帯に沸き上げるという、さまざまな学習や沸き上げ制御が行われている。その結果、昼間時間帯での沸き上げ運転回数が減ることになり、効率的かつ経済的な沸き上げ運転が可能となる（例えば、特許文献１参照）。
【０００５】
また、貯湯タンク内の使用可能湯量がどの程度あるかが使用者に分かるように、リモコンなどの表示手段に貯湯タンクを模した図や数値で使用可能湯量を表示させるのが一般的である。図５は、従来の貯湯式給湯機への運転指示や、運転状況を表示するリモコン装置の構成図である。図５に示すように、従来のリモコン装置１００は、貯湯式給湯機への各種運転指示を行う操作部１０１と、運転状況を表示する表示部１０２とを有しており、さらに表示部１０２には、貯湯タンクを模した給湯可能量を表示する給湯可能量表示部１０３を設けている。
【０００６】
そして、従来の貯湯式給湯機では使用者の利便性に配慮し、自動で使用熱量を学習し深夜時間帯に沸き上げる湯量を調整するため、例えば季節が変わり使用熱量が減少してきた場合などには、深夜時間帯の沸き上げ湯量が少なく調整され、貯湯タンク全量を沸かさない場合もでてくる。また、逆に使用熱量が増加してきた場合には、深夜時間帯の沸き上げ湯量が多く調整され、再び貯湯タンク全量が沸かされるようになったりする。
【０００７】
その結果、沸き上げ湯量に応じて給湯可能量表示部１０３での表示内容も変化し、貯湯量が少ない場合には、図６（ａ）で示すような貯湯タンクを模した図となり、貯湯量が多い場合には、図６（ｂ）で示すような貯湯タンクを模した図で表現され、使用者には視覚的かつ直感的に貯湯タンク内の湯量を確認することができる。
【特許文献１】特開２００７−１３９３３９号公報
【発明の開示】
【発明が解決しようとする課題】
【０００８】
しかしながら、使用者にとっては自動的に学習制御をしていることを知らない場合には
、使用者は沸き上げ湯量を設定していないにもかかわらず、前日までは貯湯タンクの湯が全量沸いていたのに、今日は貯湯タンクの湯が全量沸いていない時や、前日までは貯湯タンクの湯が全量沸いていなかったのに、今日は突然増えて貯湯タンクの湯が全量沸いている時には、貯湯式給湯機に異常が生じたのではないかという不安に駆られ、サービスを依頼してしまう場合がある。
【０００９】
一方で、実際に異常が生じているために、突然沸き上げ湯量が前日と異なってしまう場合もあるため、使用者にとっては、異常か正常かの見分けが困難であるという課題を有していた。
【００１０】
本発明は、前記従来の課題を解決するもので、正常に沸き上げ湯量が変更された場合には、使用者の誤解をなくすとともに、効率良くかつ経済的な沸き上げ運転を行うことができる貯湯式給湯機を提供することを目的とする。
【課題を解決するための手段】
【００１１】
前記従来の課題を解決するために、本発明の貯湯式給湯機は、湯水を貯える貯湯タンクと、貯湯タンク内の湯水を沸き上げる加熱手段と、操作部および表示部を有したリモコン装置とを備え、一日の使用量に応じて加熱手段で沸き上げる設定湯量を自動的に変更し、深夜時間帯に設定湯量まで加熱手段で沸き上げ運転を行う貯湯式給湯機であって、加熱手段で沸き上げる湯量に変更があった場合には、表示部に沸き上げ湯量を変更したことを表示することを特徴とするものである。
【００１２】
これによって、使用者は沸き上げ湯量が変更したことを視覚的に確認することができ、安心して、効率的かつ経済的な沸き上げ運転を行う貯湯式給湯機の使用を継続することができる。
【発明の効果】
【００１３】
本発明の貯湯式給湯機は、正常に沸き上げ湯量が変更された場合には、使用者の誤解をなくすとともに、効率良くかつ経済的な沸き上げ運転を行うことができる貯湯式給湯機を提供することができる。
【発明を実施するための最良の形態】
【００１４】
第１の発明の貯湯式給湯機は、湯水を貯える貯湯タンクと、貯湯タンク内の湯水を沸き上げる加熱手段と、操作部および表示部を有したリモコン装置とを備え、一日の使用量に応じて加熱手段で沸き上げる設定湯量を自動的に変更し、深夜時間帯に設定湯量まで加熱手段で沸き上げ運転を行う貯湯式給湯機であって、加熱手段で沸き上げる湯量に変更があった場合には、表示部に沸き上げ湯量を変更したことを表示することにより、使用者は沸き上げ湯量が変更したことを視覚的に確認することができ、安心して、効率的かつ経済的な沸き上げ運転を行う貯湯式給湯機の使用を継続することができる。
【００１５】
第２の発明の貯湯式給湯機は、特に第１の発明において、表示部に沸き上げ湯量を変更したことを表示する期間は、深夜時間帯の沸き上げ運転が終了した時点もしくは深夜時間帯が終了した時点から、操作部の操作が行われるまでとしたことにより、使用者は表示を確認した上で、操作部に設けられたスイッチを押すなどの操作を行った後に、沸き上げ湯量を変更したことを示した表示を消すため、使用者に確実に表示を見てもらうことができる。
【００１６】
第３の発明の貯湯式給湯機は、特に第１の発明において、表示部には貯湯タンク内に貯えられている湯量を表示する表示内容が設けられるとともに、表示部に沸き上げ湯量を変更したことを表示する期間は、深夜時間帯の沸き上げ運転が終了した時点もしくは深夜時
間帯が終了した時点から、貯湯タンク内に貯えられている湯量を表示する表示内容に変更があるときまでとしたことにより、沸き上げた湯量と表示内容とが一致しない時には、変更したことを示す表示を消すため、使用者の混乱を避けることができ、使用者が表示に長時間気付くことなく、給湯を継続したために発生する不整合性を防止することができる。
【００１７】
第４の発明の貯湯式給湯機は、特に第１の発明において、深夜時間帯の沸き上げ運転が終了した時点以降もしくは深夜時間帯が終了した時点以降に、前記貯湯タンクからの出湯が確認され、前記貯湯タンクからの出湯が停止してから所定時間の間に前記表示部に沸き上げ湯量を変更したことを表示することにより、使用者の使用している時間帯に表示を行うので、使用者に実際に見てもらえる機会が多くなるとともに、給湯を使用する前には表示を出していないので、通常表示している給湯温度などの運転状況を隠してしまうことなく表示することができる。
【００１８】
第５の発明の貯湯式給湯機は、特に第１から第４のいずれか１つの発明において、前記表示部に沸き上げ湯量を変更したことを表示した後に、前記表示部に沸き上げ湯量を再設定する操作方法を表示したことにより、自動的に変更された深夜時間帯の沸き上げ湯量が使用者の意にそぐわない場合には、沸き上げ湯量を変更前の状態に簡単に戻すことができるようにしたものである。
【００１９】
以下、本発明の実施の形態について、図面を参照しながら説明する。なお、この実施の形態によって本発明が限定されるものではない。
【００２０】
（実施の形態１）
図１は、本実施の形態におけるヒートポンプ式給湯機の構成図である。本実施の形態のヒートポンプ式給湯機は、タンクユニット１とヒートポンプユニット３で構成されている。なお、本実施の形態において貯湯式給湯機をヒートポンプ式給湯機として説明するが、これに限定されることはなく、例えば、ヒートポンプユニット３の代わりに電気ヒータを設けた電気温水器や、その他の加熱手段を用いた貯湯式給湯機であってもよい。
【００２１】
図１において、タンクユニット１内の貯湯タンク２には、ヒートポンプユニット３で加熱された湯が貯えられる。ヒートポンプユニット３へは貯湯タンク２の下方部にある低温水が供給され、ヒートポンプユニット３で生成された高温水は、貯湯タンク２の上部から戻される。そして貯湯タンク２内に上部から下部へ向かって高温から低温となる温度層が形成されるように湯水が貯えられる。
【００２２】
また、ヒートポンプユニット３は、圧縮機３１と、水冷媒熱交換器３２と、冷媒の圧力を減圧する減圧装置３３と、大気から熱を吸熱する蒸発器３４とを冷媒配管３５で環状に順次接続して構成されている。そして圧縮機３１で冷媒を高温高圧に圧縮して水冷媒熱交換器３２へ送り、水冷媒熱交換器３２で水と冷媒とを熱交換して、高温水を生成する。
【００２３】
また、貯湯タンク２の底部と水冷媒熱交換器３２の水側流路の入口との間には、沸き上げポンプ８を設けた往き管１６で接続されており、ヒートポンプユニット３の水側流路の出口と貯湯タンク２の上部との間には、戻り管１７で接続されている。
【００２４】
また、貯湯タンク２の底部には減圧弁１１を介し入水管１２が接続されている。そして貯湯タンク２の上部には給湯管１４が接続されており、混合弁７の湯入口に給湯管１４が接続されている。また、入水管１２から分岐された給水管１３は、混合弁７の水入口に接続されている。混合弁７の出口には出湯管１５が接続されており、出湯管１５を通して給湯端末やシャワーと接続されている。また、出湯管１５には給湯サーミスター６と流量センサー５が取り付けられている。
【００２５】
また、貯湯タンク２の表面にはタンク上部より残湯サーミスター４ａ、４ｂ、４ｃ、４ｄ、４ｆが所定の位置に貼り付けられている。また、タンクユニット１内には沸き上げポンプ８の駆動制御や、残湯サーミスタ４ａ〜４ｆからの温度情報を取得する制御装置１８を設け、ヒートポンプユニット３内に設けた制御装置２０と電気配線で接続されている。また、制御装置１８には、各種設定や表示を行うリモコン装置１９とも接続されている。
【００２６】
以上のように構成された貯湯式給湯機について、以下その動作、作用を説明する。
【００２７】
通常、貯湯タンク２内の湯水は、各電力会社が電気料金を安く設定している深夜時間帯（通常２３時から翌朝７時）の間に、設定されている沸き上げ温度で貯湯タンク２内の全量が沸き上げられる。沸き上げ運転時には沸き上げポンプ８を運転することで貯湯タンク２の底部の湯水をヒートポンプユニット３に送り、設定されている沸き上げ温度まで昇温された後、貯湯タンク２の上部に戻される。これにより、貯湯タンク２内の湯水は上部より設定されている沸き上げ温度に沸き上げられていくこととなる。
【００２８】
また、貯湯タンク２の底部には、給水源から低温水を供給する入水管１３が接続されており、減圧弁１１にて一定の圧力に減じられた水が、常に貯湯タンク２の底部より給水され、満水状態になっている。そして給湯端末が開かれると、貯湯タンク２の底部に掛かっている給水圧によって、貯湯タンク２の上部の湯が押し出されて給湯管１４を通って混合弁７の湯入口に流入してくる。
【００２９】
また、混合弁７の水入口には給水管１３を通って水が流入してくる。そして、給湯サーミスター６の検出温度がリモコン装置１９で設定された給湯温度になるように、制御装置１８が混合弁７を駆動することで、出湯管１５を通って給湯端末から設定温度の湯が出てくる。
【００３０】
その結果、給湯を使用すると貯湯タンク２内の湯は下部より水に置き換わっていくことになる。給湯端末へ供給された湯水の給湯温度と量は、給湯サーミスター６と流量センサー５でそれぞれ計測され制御装置１８に記憶される。制御装置１８でこれらのデータを１日積算することで１日に使用される熱量が学習される。
【００３１】
また、貯湯タンク２内の湯を高い温度で沸き上げると、１日で多くの給湯を使用することができるが、給湯端末で使用する湯水の量が少ないにもかかわらず、最高沸き上げ温度で全量を沸き上げてしまうと、１日の終わりには使用することなく余ってしまった湯が大量に残ってしまう。そのため、沸き上げているにもかかわらず使用せずに残ってしまった高温湯からは放熱してしまうだけになってしまい、効率は悪くなってしまう。
【００３２】
しかしながら、ただ沸き上げ湯量を少なくしたのでは１日の途中で湯が不足してしまうことになってしまう。そのような場合は、昼間に追加の沸き上げをすることになるが、昼間は電気料金が高いため経済的でなくなる。
【００３３】
そこで本実施の形態の貯湯式給湯機は、過去１週間程度の給湯使用量を学習し、それらの平均よりも少し多めの給湯が可能な量となるように貯湯タンク２内の湯水を沸き上げて、効率的で経済的な運転をしている。特に、同じ家庭であっても、季節の変化などで給湯使用量はかなり変化するため、ある期間の給湯使用量を学習して沸き上げ設定温度に反映させるようにすることで、非常に効率のよい沸き上げ運転を行うことができる。
【００３４】
なお、本実施の形態では前日までの１週間の給湯使用量を学習し、それらの平均使用量に応じて、次回の沸き上げ運転の沸き上げ設定温度を決定しているが、これに限定される
ことはなく、例えば、３、４日の給湯使用量に応じて沸き上げ設定温度を決定してもよいし、２週間の給湯使用量に応じて沸き上げ設定温度を決定してもよい。
【００３５】
次にリモコン装置１９の構成について説明する。図２は本実施の形態１におけるリモコン装置１９の構成図である。図２において、リモコン装置１９は、給湯設定温度や貯湯式給湯機の各種運転状況を表示する表示部３０と、給湯設定温度の変更や貯湯式給湯機の操作を行い複数のスイッチで構成される操作部３１を有している。また、表示部３０の一部には、貯湯タンク２に使用できる湯がどの程度あるかを表す給湯可能量表示部４０が設けられており、給湯可能量表示部４０は使用者が視覚的かつ直感的に給湯量を理解できるように、貯湯タンクを模した図で示されている。
【００３６】
給湯可能量表示部４０は、残湯サーミスター４ａから４ｆの検出温度を元に所定温度（例えば４５℃）以上の湯がどの程度まであるかによって表示を行う。実際の貯湯タンク２内では給湯を使用するほどタンク底部から水になっていくが、使用者の視覚的な分かり易さに配慮し、残湯量表示４０ではタンクの上部から湯が減っていくイメージで表示を行っている。
【００３７】
このように構成された貯湯式給湯機において、前述したように１週間の給湯使用量を学習して、自動的に沸き上げ設定温度を変更するため、使用者が翌朝リモコン装置１９を見たときには、深夜の沸き上げ湯量によっては最高温度で全量沸き上げていないために、給湯可能量表示部４０で示すメモリが前日の沸き上げ湯量よりも１メモリ少なくなっているという状況が起こる。このような状況は、前述したような学習制御を行っているため発生するものであり、正常に沸き上げ制御が行われたものであるが、使用者によっては学習制御についての知識が予め無く全量沸かされるのが当たり前と考えている場合には、貯湯式給湯機が故障したのではないか、異常が起こったのではないかと不安感を感じ、修理依頼を行ってしまう場合がある。また一方で、本当に異常があるために沸き上げが途中で停止している可能性もあり、正常なのか異常なのかを判別することができない。
【００３８】
そのような不具合を解消するために、本実施の形態では、沸き上げ湯量を変更した場合には、深夜時間帯の沸き上げ終了後に、リモコン装置１９の表示部３０に、図３に示すような「沸き上げ湯量変更のお知らせ」を表示させるようにしている。
【００３９】
そして、使用者に確認を促すメッセージも併せて表示し、使用者が所定のスイッチ（例えば、確定スイッチ）を押すまでは表示を継続し、所定のスイッチを押すと、なぜ沸き上げ湯量を変更したかの理由を表示し通常の表示に戻すようにしている。これによって使用者は器具が正常であることが分かるため、安心して使用を続けることができる。
【００４０】
なお、深夜時間帯の沸き上げ終了後に、表示部３０に沸き上げ湯量を変更したことを示すメッセージを表示するようにしているが、深夜時間帯が終了するのと同じタイミングで表示するようにしてもよい。これは深夜時間帯が２３時〜翌７時に設定している場合には、翌７時になるタイミングでメッセージが表示されるようにするものである。
【００４１】
また、表示部３０には貯湯タンク２内に貯えられている湯量を表示する給湯可能量表示部４０を設けており、沸き上げ湯量を変更したことを表示する期間を、給湯可能量表示部４０に変更があったときまでとしてもよい。
【００４２】
例えば、深夜時間帯に全量沸き上げた結果、沸き上げ終了時点では給湯可能量表示部４０では、メモリが満タンの貯湯タンクを模した図が表示されるとする。そして、沸き上げ運転終了後、もしくは深夜時間帯終了後に「沸き上げ湯量変更のお知らせ」を表示したとしても、使用者がリモコン装置１９に表示された「沸き上げ湯量変更のお知らせ」を見な
いままに給湯端末からの給湯を開始して、大量に貯湯タンク２内の湯を使用した場合は、給湯可能量表示部４０にはメモリが１つ減った貯湯タンクを模した図に変更される。
【００４３】
そして、メモリが１つ減った貯湯タンクを模した図になったときに、「沸き上げ湯量変更のお知らせ」を使用者に表示してしまうと、実際はメモリが満タンまで沸き上げているにもかかわらず、メモリが１つ減った状態になっているため、実際に沸き上げた湯量と、給湯可能量表示部４０に表示されている量とが一致せず、使用者が混乱してしまう可能性がある。
【００４４】
そこで、このような場合には深夜の沸き上げ湯量の変化のみではなくなるため「沸き上げ湯量変更のお知らせ」の内容が適切ではなくなる可能性があり、本実施の形態では給湯可能量表示部４０に表示の変更があった場合には、「沸き上げ湯量変更のお知らせ」の表示を消すようにしている。
【００４５】
また、深夜時間帯の沸き上げ運転が終了した時点以降もしくは深夜時間帯が終了した時点以降に、貯湯タンク２からの出湯が確認され、貯湯タンク２からの出湯が停止してから所定時間の間に表示部３０に沸き上げ湯量を変更したこと示すメッセージを表示するようにしてもよい。
【００４６】
通常、リモコン装置１９の表示は、給湯不使用時まで点灯していると電気が無駄となるため、表示を消す節電機能を搭載している。そして、給湯使用時やスイッチ操作時には表示を点灯させ、その後所定時間（例えば１分間）表示した後消灯するようにしている。この場合、「沸き上げ湯量変更のお知らせ」の表示も消灯してしまうため、給湯使用後の一定時間、表示が点灯している間に「沸き上げ湯量変更のお知らせ」を表示させるようにしたものである。
【００４７】
また、使用者の使用している時間帯に表示を行うので、使用者に実際に見てもらえる機会が多くなるとともに、給湯を使用する前には表示を出していないので、通常表示している給湯温度などの運転状況を隠してしまうことなく表示することができる。
【００４８】
また、沸き上げ湯量の変更を行わず元に戻したい場合もあると思われる。例えば、家族の一人が１０日間程度、旅行でいなかったため給湯の使用量が減り、沸き上げ湯量が変更になった場合など、元の人数に戻ると湯が足らなくなり昼間に沸かすことになってしまいかねない。このようなことを防止するため図４に示すように「沸き上げ湯量変更のお知らせ」の画面で変更された沸き上げ湯量をそのままとするか、元に戻すか選択できるようにし、元に戻したい場合は簡単に元に戻す操作ができるようにしたものである。
【００４９】
次に図４の操作について説明する。
【００５０】
まずＳＴＥＰ０１では、深夜時間帯の沸き上げ運転終了後、表示部３０には「沸き上げ湯量変更のお知らせ」が表示される。そして使用者に確認を促すメッセージを併せて表示し、使用者が操作部３１を操作して確認を行うと、ＳＴＥＰ０２へ進む。
【００５１】
ＳＴＥＰ０２では、沸き上げ湯量がなぜ変更されたのかを示すメッセージを表示し、しばらくしたらＳＴＥＰ０３に自動的に表示が変わる。本実施の形態ではＳＴＥＰ０２のまま１０秒経過するとＳＴＥＰ０３へと自動的に変わる。
【００５２】
ＳＴＥＰ０３では、沸き上げ湯量を元に戻すかどうかを確認するメッセージを表示する。このようなメッセージを入れることによって、より使用者の好みに応じた沸き上げ運転を行うことができる。ＳＴＥＰ０３で沸き上げ湯量をそのままにする場合には、ＳＴＥＰ
０４へ進み、通常の表示に戻る。ＳＴＥＰ０３で沸き上げ湯量を変更する場合には、ＳＴＥＰ０５へ進み、沸き上げ湯量を変更する表示を行い、ＳＴＥＰ０６へ進み、通常の表示に戻る。そして次回の沸き上げ時には元の沸き上げ設定湯量で沸き上げを行う。
【００５３】
以上のように、「沸き上げ湯量変更のお知らせ」を表示する時に、あわせて沸き上げ湯量を再設定することができるようにしておくことで、非常に使用者の好みに応じた沸き上げ運転を行うことができる。
【産業上の利用可能性】
【００５４】
以上のように、本発明にかかる貯湯式給湯機は、学習による自動運転の内容をリモコン等のお知らせ表示で知らせることで使用者の不安感を取り除くことができるため、さまざまな熱源の貯湯式給湯機に利用することができる。
【図面の簡単な説明】
【００５５】
【図１】本発明の実施の形態１における貯湯式給湯機の構成図
【図２】本発明の実施の形態１におけるリモコンの構成図
【図３】本発明の実施の形態１における表示部の遷移図
【図４】本発明の実施の形態１における表示部の遷移図
【図５】従来の貯湯式給湯機のリモコン構成図
【図６】（ａ）給湯可能量表示部の構成図（ｂ）給湯可能量表示部の構成図
【符号の説明】
【００５６】
１  タンクユニット
２  貯湯タンク
３  ヒートポンプユニット（加熱手段）
４ａ〜４ｆ  残湯サーミスター（貯湯温度検出手段）
５  流量センサー
６  給湯サーミスター
８  沸き上げポンプ
１８  制御装置
１９  リモコン装置
【図１】
2010216717.tif 000003
【図２】
2010216717.tif 000004
【図３】
2010216717.tif 000005
【図４】
2010216717.tif 000006
【図５】
2010216717.tif 000007
【図６】
2010216717.tif 000008